(57)【要約】【課題】  本発明は魚釣用リールに係り、従来に比し更なるロープロファイル化を図った魚釣用リールを提供することを目的とする。【解決手段】  請求項１に係る発明は、側面視略円形状に形成したリール本体の外形中心に対し、スプールの軸心を釣糸繰出し方向と反対側の後方且つ上方に偏位して該スプールをリール本体の側板間に回転自在に支持し、リール本体のフレームの下部の前後に設けたリール脚に釣竿取付部を取り付け固定した魚釣用リールに於て、釣竿の長手方向の軸線と直交し且つ前記軸心を通るスプールの中心線に前記両リール脚間の中心を一致させて、両リール脚をフレーム下部の前後に設けたことを特徴とする。【選択図】    図２
2009131158.tif 000002
【特許請求の範囲】
【請求項１】
側面視略円形状に形成したリール本体の外形中心に対し、スプールの軸心を釣糸繰出し方向と反対側の後方且つ上方に偏位して該スプールをリール本体の側板間に回転自在に支持し、リール本体のフレームの下部の前後に設けたリール脚に釣竿取付部を取り付け固定した魚釣用リールに於て、
釣竿の長手方向の軸線と直交し且つ前記軸心を通るスプールの中心線に前記両リール脚間の中心を一致させて、両リール脚をフレーム下部の前後に設けたことを特徴とする魚釣用リール。
【請求項２】
リール本体のフレームの下部の前後に設けたリール脚に釣竿取付部を取り付け固定した魚釣用リールに於て、
前記釣竿取付部の釣竿固定部側を、前記リール脚に固定するリール脚固定部側から上方へ屈曲形成し、釣竿固定部の先端側を下方へ折曲形成したことを特徴とする魚釣用リール。
【請求項３】
側面視略円形状に形成したリール本体の外形中心に対し、スプールの軸心を釣糸繰出し方向と反対側の後方且つ上方に偏位して該スプールをリール本体の側板間に回転自在に支持し、リール本体のフレームの下部の前後に設けたリール脚に釣竿取付部を取り付け固定した魚釣用リールに於て、
釣竿の長手方向の軸線と直交し且つ前記軸心を通るスプールの中心線に前記両リール脚間の中心を一致させて、両リール脚をフレーム下部の前後に設けると共に、
前記釣竿取付部の釣竿固定部側を、前記リール脚に固定するリール脚固定部側から上方へ屈曲形成し、釣竿固定部の先端側を下方へ折曲形成したことを特徴とする魚釣用リール。
【発明の詳細な説明】
【技術分野】
【０００１】
本発明は魚釣用リールに係り、詳しくはリール本体を構成するフレームの下部に形成されたリール脚に釣竿取付部がリール本体の前後方向に取り付く魚釣用リールに関する。
【背景技術】
【０００２】
従来、魚釣用リールは、リール本体を構成するフレームの下部の前後にリール脚が形成され、該リール脚に釣竿取付部（スタンド）がリール本体の前後方向に亘って取り付けられている。
【０００３】
そして、釣竿取付部の前側を、釣竿のリールシート上の固定フードに係合させ、リールシート上の移動フードを釣竿取付部の後側へ移動してこれに係合させることで、魚釣用リールが釣竿に一体的に取り付けられている。
【０００４】
ところで、特許文献１には、図５に示すように側部に側板が装着されるリール本体１のフレーム３（側枠５）を側面視略円形に形成して、リール本体１の外形中心Ｐに対しスプール７の軸心Ｑを釣糸繰出し方向と反対側の後方且つ上方にオフセットし、スプール７前方のフレーム３の側枠５間にレベルワインド機構９、スプール７後方の側枠５間にクラッチレバー１１を夫々振り分け配置すると共に、フレーム３下部の前後に設けたリール脚１３，１５に釣竿取付部１７をリール本体１の前後方向に取り付け固定して、リール本体１のスペースの有効活用と、魚釣用リール１９を釣竿に取り付けた状態での釣竿からの突出量を小さく（ロープロファイル化）して、魚釣り操作時のホールド性の向上を図ったものが提案されている。
【特許文献１】実用新案登録第２５５２６７７号公報
【発明の開示】
【発明が解決しようとする課題】
【０００５】
しかし乍ら、前記魚釣用リール１９は、釣竿の長手方向に直交する前記外形中心Ｐを通る線上に、釣竿取付部１７とリール脚１３，１５の長手方向中心部が位置する構造上、スプールフランジ２１の外周との寸法的制約の影響で、リール脚１３，１５をスプール７側、つまり、釣竿取付部１７をスプール７側に偏位させて十分にロープロファイル化を図ることが難しかった。
【０００６】
また、リール脚１３，１５の下面に、釣竿側に向けて下方に傾斜した釣竿固定部２３を有する釣竿取付部１７を固定する構造上、依然としてロープロファイル化の面で課題を残していた。
【０００７】
本発明は斯かる実情に鑑み案出されたもので、従来に比し更なるロープロファイル化を図った魚釣用リールを提供することを目的とする。
【課題を解決するための手段】
【０００８】
斯かる目的を達成するため、請求項１に係る発明は、側面視略円形状に形成したリール本体の外形中心に対し、スプールの軸心を釣糸繰出し方向と反対側の後方且つ上方に偏位して該スプールをリール本体の側板間に回転自在に支持し、リール本体のフレームの下部の前後に設けたリール脚に釣竿取付部を取り付け固定した魚釣用リールに於て、釣竿の長手方向の軸線と直交し且つ前記軸心を通るスプールの中心線に前記両リール脚間の中心を一致させて、両リール脚をフレーム下部の前後に設けたことを特徴とする。
【０００９】
そして、請求項２に係る発明は、リール本体のフレームの下部の前後に設けたリール脚に釣竿取付部を取り付け固定した魚釣用リールに於て、前記釣竿取付部の釣竿固定部側を、前記リール脚に固定するリール脚固定部側から上方へ屈曲形成し、釣竿固定部の先端側を下方へ折曲形成したことを特徴とする。
【００１０】
更に、請求項３に係る発明は、側面視略円形状に形成したリール本体の外形中心に対し、スプールの軸心を釣糸繰出し方向と反対側の後方且つ上方に偏位して該スプールをリール本体の側板間に回転自在に支持し、リール本体のフレームの下部の前後に設けたリール脚に釣竿取付部を取り付け固定した魚釣用リールに於て、釣竿の長手方向の軸線と直交し且つ前記軸心を通るスプールの中心線に前記両リール脚間の中心を一致させて、両リール脚をフレーム下部の前後に設けると共に、前記釣竿取付部の釣竿固定部側を、前記リール脚に固定するリール脚固定部側から上方へ屈曲形成し、釣竿固定部の先端側を下方へ折曲形成したことを特徴とする。
【発明の効果】
【００１１】
請求項１に係る発明によれば、釣竿の長手方向の軸線に対して直交する方向で、且つスプールの軸心を通る位置にリール脚間の中心を配設したので、従来に比しリール脚のスプール側へのオフセットが可能となる。
【００１２】
このため、従来に比し更なるロープロファイル化が可能となる。
【００１３】
また、請求項２に係る発明によれば、釣竿取付部の釣竿固定部側を、そのリール脚固定部側から上方へ屈曲形成して釣竿固定部の先端側を下方へ折曲形成することで、従来に比し釣竿取付部に装着固定される釣竿がスプール側により近づき、魚釣用リールを釣竿に取り付けた状態での釣竿から上方突出量が可及的に小さくなる。
【００１４】
この結果、従来に比し更なるロープロファイル化が可能となる。
【００１５】
そして、請求項３に係る発明によれば、釣竿の長手方向の軸線に対して直交する方向で、且つスプールの軸心を通る位置にリール脚間の中心を配設したので、従来に比しリール脚のスプール側へのオフセットが可能となり、また、釣竿取付部の釣竿固定部側を、そのリール脚固定部側から上方へ屈曲形成して釣竿固定部の先端側を下方へ折曲形成することで、従来に比し釣竿取付部に装着固定される釣竿がスプール側により近づき、魚釣用リールを釣竿に取り付けた状態での釣竿から上方突出量が可及的に小さくなるため、請求項１または請求項２に係る発明に比し、魚釣用リールの更なるロープロファイル化が可能となる。
【発明を実施するための最良の形態】
【００１６】
以下、本発明の実施形態を図面に基づいて詳細に説明する。
【００１７】
図１及び図２は請求項１乃至請求項３に係る魚釣用リールの第一実施形態を示し、図１に於て、２５，２７はフレーム２９の左右の側枠３１，３３に取り付く側板で、左側の側板２５は、側枠３１に螺着される環状リング３５によって該側枠３１に着脱自在に取り付き、右側の側板２７は、側枠３３に螺着されるネジ３７によって該側枠３３に着脱自在に取り付けられている。そして、両側板２５，２７とフレーム２９とで魚釣用リール３９のリール本体４１が構成され、図２に示すように側板２５，２７と側枠３１，３３（フレーム２９）は側面視円形状に形成されている。
【００１８】
そして、両側板２５，２７間に、該側板２５に装着した軸受４３と側枠３３に装着した軸受４５によってスプール軸４７が回転可能に支持され、該スプール軸４７にスプール４９が一体的に取り付けられている。そして、図２に示すように本実施形態も、図５の魚釣用リール１９と同様、リール本体４１の外形中心Ｐに対しスプール４９の軸心Ｑを釣糸繰出し方向と反対側の後方且つ上方にオフセットさせて、該スプール４９前方の側枠３１，３３（側板２５，２７）間に周知のレベルワインド機構５１を、スプール４９後方の側枠３１，３３（側板２５，２７）間に、スプール４９をスプールフリー状態（クラッチＯＦＦ）と釣糸巻取り状態（クラッチＯＮ）とに切り換える周知のクラッチ機構５３のクラッチレバー５５を夫々振り分け配置して、リール本体４１のスペースの有効活用を図っている。
【００１９】
また、図２に示すように前記側枠３１，３３間の上部に平坦なプレート状のサムレスト５７が一体に架設され、側枠３１，３３間の下部に断面矩形状の一対のリール脚５９，６１がリール本体４１の前後に分割して一体に架設されており、前記側枠３１，３３とサムレスト５７，両リール脚５９，６１によって前記フレーム２９が構成されている。
【００２０】
そして、前記リール脚５９，６１の下面に、１枚の釣竿取付部６３がリール本体４１の前後方向に亘って配置されてカシメ固定されているが、図２及び図３に示すように本実施形態は、魚釣用リール３９の更なるロープロファイル化を図るため、
(1)釣竿６５の長手方向の軸線と直交し且つ前記軸心Ｑを通るスプール４９の中心線Ｒに前記リール脚５９，６１間の中心を一致させて、両リール脚５９，６１をフレーム２９下部の前後に設け、
(2)前記釣竿取付部６３の長手方向の中心Ｓを前記中心線Ｒ上に配して、該釣竿取付部６３を該リール脚５９，６１の下面にカシメ固定すると共に、
(3)釣竿６５のリールシート上のフード６７に係合させる釣竿取付部６３の釣竿固定部６３ａ側を、前記リール脚５９，６１に固定するリール脚固定部６３ｂ側からスプール４９側の上方へ屈曲形成して、釣竿固定部６３ａの先端側をスプール４９と反対側の下方へ折曲形成したことを特徴としている。
【００２１】
その他、図１中、６９は前記スプール軸４７の径方向外方に突出したピンからなるクラッチ機構５３のクラッチ部６９で、該クラッチ部６９に係脱可能なピニオンギヤ７１が、側枠３３と側板２７に装着した軸受７３，７５によってスプール軸４７に回転可能且つその軸方向へ往復動可能に取り付けられている。
【００２２】
そして、従来と同様、前記クラッチレバー５５を下方へ押圧操作すると、ピニオンギヤ７１の外周に設けた環状溝７７に係合するクラッチプレート７９が、クラッチ部６９に対するピニオンギヤ７１のクラッチ結合を解除してスプール４９をスプールフリー状態に切り換え、後述するハンドル８１の巻取り操作で周知の自動復帰装置によりピニオンギヤ７１が前記クラッチ部６９にクラッチ結合して、スプール４９が釣糸巻取り状態に自動復帰するようになっている。
【００２３】
また、図１中、８１は側板２７側に装着された釣糸巻取り用のハンドルで、該ハンドル８１が連結されたハンドル軸８３に、前記ピニオン７１に噛合するドライブギヤ８５が周知のドラグ８７によって摩擦結合されており、スプール４９の巻取り駆動状態でのハンドル８１の巻き取り操作で、その回転力がドライブギヤ８５，ピニオンギヤ７１からスプール軸４７に伝達されてスプール４９が釣糸巻取り方向へ回転する。そして、クラッチレバー５５によるクラッチＯＦＦの操作で、クラッチ部６９とピニオンギヤ７１とのクラッチ係合が解除されて、スプール軸４７へのハンドル８１の回転力が遮断されるようになっている。
【００２４】
そして、従来と同様、ハンドル８１の巻取り操作に伴い、前記レベルワインド機構５１によって釣糸がスプール４９の釣糸巻回胴部８９に均一に巻回され、また、キャスティング動作に伴い、釣糸巻回胴部８９に巻回された釣糸が均一に繰り出されるようになっている。
【００２５】
このように本実施形態は、図２及び図３に示すように釣竿６５の長手方向の軸線に対して直交する方向で、且つスプール４９の軸心Ｑを通る位置にリール脚５９，６１間の中心と釣竿取付部６３の長手方向の中心Ｓを配設したので、図３に示すように従来の図５のリール脚１３，１５に比しリール脚５９，６１のスプール４９側への寸法ｔのオフセットが可能となる。
【００２６】
また、図１に示すように釣竿取付部６３の釣竿固定部６３ａ側を、そのリール脚固定部６３ｂ側から上方へ屈曲形成して、釣竿固定部６３ａの先端側を下方へ折曲形成することで、従来に比し釣竿取付部６３に装着固定される釣竿６５がスプール４９側により近づき、魚釣用リール３９を釣竿６５に取り付けた状態での釣竿６５から上方突出量が可及的に小さくなる。
【００２７】
この結果、本実施形態によれば、従来に比し更なるロープロファイル化が可能となった。
【００２８】
尚、図２に示すように前記実施形態は、側枠３１，３３間の下部に一対のリール脚５９，６１をリール本体４１の前後に分割して架設した魚釣用リールに請求項１乃至請求項３に係る発明を適用したが、本発明は、図４の如く前後のリール脚５９，６１を連結部材９１で連結して両リール脚５９，６１を一体とした魚釣用リール３９-1にも適用可能で、本実施形態も、リール本体４１の外形中心Ｐに対しスプール４９の軸心Ｑを釣糸繰出し方向と反対側の後方且つ上方にオフセットさせて、該スプール４９前方の側枠３１，３３間にレベルワインド機構５１を、スプール４９後方の側枠３１，３３間にクラッチレバー５５を夫々振り分け配置してリール本体４１のスペースの有効活用を図ると共に、
(1)釣竿６５の長手方向の軸線と直交し且つ前記軸心Ｑを通るスプール４９の中心線Ｒにリール脚５９，６１間の中心を一致させて、一体の両リール脚５９，６１をフレーム２９下部の前後に設け、
(2)釣竿取付部６３の長手方向の中心Ｓを前記中心線Ｒ上に配して、該釣竿取付部６３を該リール脚５９，６１の下面にカシメ固定すると共に、
(3)釣竿取付部６３の釣竿固定部６３ａ側をリール脚固定部６３ｂ側からスプール４９側の上方へ屈曲形成して、釣竿固定部６３ａの先端側をスプール４９と反対側の下方へ折曲形成したものである。
【００２９】
そして、その他の構成も図１の実施形態と同様であるので、同一のものには同一符号を付してそれらの説明は省略する。
【００３０】
而して、本実施形態によっても、図３と同様、図５のリール脚１３，１５に比しリール脚５９，６１のスプール４９側への寸法ｔのオフセットが可能となり、魚釣用リール３９-1を釣竿６５に取り付けた状態での釣竿６５から上方突出量が可及的に小さくなるため、更なるロープロファイル化が可能となる。
【図面の簡単な説明】
【００３１】
【図１】請求項１乃至請求項３の第一実施形態に係る魚釣用リールの断面図である。
【図２】図１に示す魚釣用リールの断面図である。
【図３】スプールの軸心とリール脚との関係を示す説明図である。
【図４】請求項１乃至請求項３の第二実施形態に係る魚釣用リールの断面図である。
【図５】従来の魚釣用リールに於けるリール本体の外形中心とリール脚との関係を示す断面図である。
【符号の説明】
【００３２】
２５，２７  側板
２９  フレーム
３１，３３  側枠
３９  魚釣用リール
４１  リール本体
４７  スプール軸
４９  スプール
５１  レベルワインド機構
５３  クラッチ機構
５５  クラッチレバー
５７  サムレスト
５９，６１  リール脚
６３  釣竿取付部
６３ａ  釣竿固定部
６３ｂ  リール脚固定部
６５  釣竿
６７  フード
８１  ハンドル
【図１】
2009131158.tif 000003
【図２】
2009131158.tif 000004
【図３】
2009131158.tif 000005
【図４】
2009131158.tif 000006
【図５】
2009131158.tif 000007